(57)【要約】【課題】  両面液晶表示装置の各面の検査について、検査装置を液晶表示面毎で切り替えて検査を実施していた。【解決手段】  検査装置の構成は、支柱４０あるいは支柱の代替となる支持部４１に開けた穴に反転の中心となる回転軸５０を通し、両面液晶表示装置８０を搭載する反転板３０に設けた軸受け６０に回転軸５０を固定する。同時に反転板３０には両面液晶表示装置８０を反転板３０上に保持固定する保持機構７０を設けた構造とする。また、反転板３０と保持機構７０には両面液晶表示装置８０の両面の液晶表示パネルを識別できるように窓などを設けておく。【選択図】  図1
2007219327.tif 000002
【特許請求の範囲】
【請求項１】
両面表示装置を反転板の上に保持する工程と、
前記両面表示装置について電源を投入し、イニシャライズを行う工程と、
前記両面表示装置の第一面側を検査する工程と、
前記反転板を反転し前記両面表示装置の検査対称となる表示面を切り替える工程と、
前記両面表示装置の第二面側を検査する工程と、
前記両面表示装置についてファイナライズと電源遮断を行う工程と、
前記反転板を元に戻し、前記反転板上から前記両面表示装置の保持状態を解除する工程と、
前記両面表示装置を前記反転板から取り外す工程を連動して一連の流れで実行することを特徴とする両面表示装置の検査方法。
【請求項２】
被検査対象物の保持機構と反転板回転用の軸受けを設置した反転板と、
前記軸受けに支持される回転軸と
前記回転軸を通すための穴と、前記反転板の度決めとなるストッパを設けた支柱と、
を備え、表裏に各々個別の表示素子を持つ両面表示装置の両面検査を可能にすることを特徴とする表示検査装置。
【請求項３】
前記両面表装置のそれぞれの面の視角方向を基準として前記両面表示装置を反転することを特徴とする請求項２に記載の表示検査装置。
【請求項４】
前記回転軸による前記反転板の反転前と反転後で、前記両面表示装置の中心位置が同じになるように設定されたことを特徴とする請求項２に記載の表示検査装置。
【発明の詳細な説明】
【技術分野】
【０００１】
本発明は、例えば携帯電話等に用いられる表示装置の検査等に関する。
【背景技術】
【０００２】
従来の表示検査装置では、表示装置を検査する時に検査装置の筐体に固定された設置面（例えば特許文献１参照）や土台に固定された液晶表示パネル載置台（例えば特許文献２参照）に検査対象となる表示装置を搭載する構造が知られている。
【特許文献１】特開２００１−１２４６５９号公報  （段落［００１３］、第1図）
【特許文献２】特開２０００−２８４２４８号公報  （段落［００１８］、第1図）
【発明の開示】
【発明が解決しようとする課題】
【０００３】
解決しようとする課題は、両面に液晶表示パネルを持つ両面液晶表示装置の検査において、検査対象である液晶表示パネル面毎に個別に検査装置を準備していたことによる検査機材・設備費の多大化である。また、各面の検査を検査装置毎で切り分けて検査実施していたことによる検査対象物の設置・初期化・取り外しなどの重複設定による工程増加や、両面液晶表示装置と検査装置間での制御信号コネクタ勘合接続の多重化によるコネクタ磨耗も課題である。
【０００４】
そこで、本発明は、両面に液晶表示パネルを持つ両面液晶表示装置の表示検査方法において、一連の工程順序で液晶表示装置両面の検査を行える方法及び、この方法を実現するための検査装置を提案する。
【課題を解決するための手段】
【０００５】
検査装置の構成は、検査装置上に設けた支柱あるいは支柱に替わるものに開けた穴に反転の中心となる回転軸を通し、両面液晶表示装置を搭載する反転板に設けた軸受けに回転軸を固定する。同時に反転板には両面液晶表示装置を反転板上に保持固定する保持機構を設けた構造とする。また、反転板と保持機構には両面液晶表示装置の両方の液晶表示パネルを識別できるように窓などを設けておく。この検査装置を使い、検査対象となる両面液晶表示装置の表側の表示検査を順次行う。表側指定検査終了後に検査装置上の反転板を回転すなわち被測定物を反転する。その後、両面液晶表示装置の裏側の表示検査を順次行うことで、両面を一連の流れで効率良く検査できる。
【０００６】
本発明の両面表示装置の検査方法は、両面表示装置を反転板の上に保持する工程と、前記両面表示装置について電源を投入し、イニシャライズを行う工程と、前記両面表示装置の第一面側を検査する工程と、前記反転板を反転し前記両面表示装置の検査対称となる表示面を切り替える工程と、前記両面表示装置の第二面側を検査する工程と、前記両面表示装置についてファイナライズと電源遮断を行う工程と、前記反転板を元に戻し、前記反転板上から前記両面表示装置の保持状態を解除する工程と、前記両面表示装置を前記反転板から取り外す工程を連動して一連の流れで実行する。
【０００７】
また、本発明の表示検査装置は、被検査対象物の保持機構と反転板回転用の軸受けを設置した反転板と、前記軸受けに支持される回転軸と、前記回転軸を通すための穴と前記反転板の度決めとなるストッパを設けた支柱とを備え、表裏に各々個別の表示素子を持つ両面表示装置の両面検査を可能にする。ここで、両面表装置のそれぞれの面の視角方向を基準として両面表示装置を反転するように構成した。あるいは、回転軸による反転板の反転前と反転後で、両面表示装置の中心位置が同じになるように設定された構成とした。
【発明の効果】
【０００８】
本発明の検査装置構成により、検査工程を連動・一元化することで作業時間を短縮できる。また検査装置の製作台数の低減が出来て、設備投資費の削減が可能となる。また、検査装置の反転位置を調整することで、検査装置上の両面液晶表示装置の各面の液晶パネル位置を反転前と反転後で同等にでき、画像処理装置などの測定器を1台で併用できる。また、両面液晶表示装置を作業者が目視で見た場合に、反転前と反転後で液晶表示パネルの位置がどちらの面でも同等であるので、視角変動が減少し、光学特性検査での品質向上を図れる。また、両面液晶表示装置と検査装置との電気的な導通を得るためのコネクタ勘合による機械的ストレスを半減できるのでコネクタ欠損などの品質悪化を抑制できる。本検査装置および検査方法は被測定物の表裏が液晶表示パネル以外の有機ＥＬやＬＥＤなどの表示素子にも適用できる。
【発明を実施するための最良の形態】
【０００９】
本発明の検査装置は、被検査対象である両面液晶表示装置を保持機構により反転板上に保持固定しており、反転板を回転軸中心で反転することで両面液晶表示装置の液晶表示面を任意に検査対象とする表示面に切り替えることができる。保持機構及び反転板は、両面液晶表示装置の液晶表示パネル各面を視認できるように窓部の形成あるいはアクリルやガラスなどの透明材質で構成しておく。視点及び画像処理装置の入力側に対し、検査対象とする両面液晶表示装置の各面を反転板の反転操作で切り替えることで、両面液晶表示装置の各面に個別に対応した検査装置に両面液晶表示装置を乗せかえることなく一連の作業で両面液晶表示装置の両面検査が行える。
【実施例１】
【００１０】
本実施例の両面表示検査装置の構成を図１に模式的に示す。図示するように、視角方向を確保するために傾斜０〜３０度を設けた土台１０に台板２０を設置する。この台板２０上には支柱４０を設置する。この支柱４０に回転軸５０を通すための穴を設けておく。また、支柱４０には各表示面の反転板３０の度決めとなるストッパＡ９０とストッパＢ９１を設置する。ストッパＡ９０は第一面側の反転板３０の度決めである。ストッパＢ９１は第二面側の反転板３０の度決めである。反転板３０に両面液晶表示装置８０をセットした後、保持機構７０により両面液晶表示装置８０を反転板３０に保持固定する構造とする。反転板３０及び保持機構７０には、両面液晶表示装置８０の液晶表示各面の視認を得るためにアクリル・ガラス・プラスチックなどの透明な材質を使用する。あるいは、材料に窓穴を開けておく構成とする。反転板３０上には回転軸５０を受けるための軸受け６０を設けておく。支柱４０に設けた回転軸５０用の穴と軸受け６０に回転軸５０を通し、回転を妨げないように固定する。また、反転板３０にはハンドル１００を設置しておく。この装置機構により、ハンドル１００を操作して、反転板３０を回転軸５０中心にして任意に反転できるので、反転板３０上に保持機構７０により保持固定された両面液晶表示装置８０の各液晶表示面について検査装置を交換すること無く、両面液晶表示装置８０の両面の検査を実施できる。
【００１１】
検査手順として、最初に被検査物である両面液晶表示装置８０を反転板３０に搭載し、保持機構７０を用いて両面液晶表示装置８０を反転板３０に保持固定する。また、両面液晶表示装置８０を反転板３０に搭載後、両面液晶表示装置８０に対して電源投入及びイニシャライズを行なう。その後、両面液晶表示装置８０の第一面側を順次検査する。第一面側の所定の検査終了後にハンドル１００を操作することで反転板３０に保持された両面液晶表示装置８０の検査面を反転し切り替える。その後、両面液晶表示装置８０の第二面側を順次検査する。検査終了後に両面液晶表示装置８０に対してファイナライズ及び電源遮断を行なう。ハンドル１００の操作により反転板３０を元の位置に戻し両面液晶表示装置８０を着脱面側に切り替える。その後、両面液晶表示装置８０を反転板３０に保持していた保持機構７０の保持を解除し、両面液晶表示装置８０を両面検査装置から取り外す。以上のように工程を一連の流れで無駄なく実施できる検査方法を実現できる。
【実施例２】
【００１２】
本実施例の両面表示検査装置を図２に図示する。実施例１で示した図１の装置を両面液晶表示装置８０の中心で反転できるように反転板３０に対する軸受け６０の位置を調整設置し、その反転板３０の回転半径の増加分を含めて支柱４０の高さを増加させた構造とする。また、支柱４０に取り付けたストッパＡ９０には、１箇所で反転板３０の両面を受けられる機能を持たせるように構成することで実施例１に比べ部品点数を削減した構造としている。両面液晶表示装置８０の中心線で表示面を反転できる機構であるので、両面での視点位置の変動が少なくなり、測定精度においても光学特性への影響がより小さくなる。また、作業性においても各面切り替え時の視点移動低減などで優位になることや、各面で同一の画像処理装置の入力系を使用できるなどで装置数増加を抑制できる。
【実施例３】
【００１３】
本実施例の両面表示検査装置を図３・図４に図示する。実施例２で示した図２の検査装置において、構成部品数の点数削減と検査装置全体の高さを低減するために台板２０に支柱代替などの役割を持たせている。
【００１４】
詳細には支柱４０の代替となる支持部４１の機構とストッパＡ９０の代替となるストッパ部９２の機構を形成したものである。反転板３０を反転させるスペースを土台１０の内部空間に持たせた構造であるので支柱部品を別個に必要としないで済む。台板２０には反転板３０の反転可動分の切削とハンドル１００用の逃げ空間を同時に確保する構造を取っている。台板２０に設置したストッパ部９２によって両面液晶表示装置８０の各面に対する反転板３０の度決めを行なっている。両面表示検査装置本体の大きさを全体的に小さくでき、保管場所や検査環境などのスペースを低減できる。
【産業上の利用可能性】
【００１５】
両面に液晶表示パネルを搭載した両面液晶表示装置の検査に本構成の装置を使用することで、検査装置を複数準備することなく検査を実現できる。
また、両面液晶表示装置の両面の検査について、工程を連動して検査を実現できる検査方法を確立できるので、これまでの検査方法の無駄を省くことができる。
【図面の簡単な説明】
【００１６】
【図１】実施例１の両面検査装置の外観を示す側面図である。
【図２】実施例２の両面検査装置の外観を示す側面図である。
【図３】実施例３の両面検査装置の外観を示す側面図である。
【図４】図３の外観を示す上面図である。
【符号の説明】
【００１７】
１０  土台
２０  台板
３０  反転板
４０  支柱
４１  支持部
５０  回転軸
６０  軸受け
７０  保持機構
８０  両面液晶表示装置
９０  ストッパＡ
９１  ストッパＢ
９２  ストッパ部
１００  ハンドル
【図１】
2007219327.tif 000003
【図２】
2007219327.tif 000004
【図３】
2007219327.tif 000005
【図４】
2007219327.tif 000006